(57)【要約】【課題】  机の配置状況に応じて、幕板の正面側或いは背面側に配線受けを取付けることのできる机を提供する。【解決手段】  机1は、天板10と、該天板10の左右端部下面に垂直に取付けられた天板支持脚11と、天板10の奥部下方において、天板支持脚11間に配設された幕板取付枠8と、該幕板取付枠8に正面側或いは背面側の何れの方向からでも着脱自在に取付け可能な幕板2と、該幕板2に着脱自在に取付け可能な配線受け6と、を備え、幕板2の一方の面に、幕板取付枠8と係着する連結部と、配線受け6と係着する取付受部と、が形成されていることとする。【選択図】      図１
2010094204.tif 000002
【特許請求の範囲】
【請求項１】
天板と、該天板の左右端部下面に垂直に取付けられた天板支持脚と、
前記天板の奥部下方において、前記天板支持脚間に配設された幕板取付枠と、
該幕板取付枠に正面側或いは背面側の何れの方向からでも着脱自在に取付け可能な幕板と、
該幕板に着脱自在に取付け可能な配線受けと、を備え、
前記幕板の一方の面に、前記幕板取付枠と係着する連結部と、前記配線受けと係着する取付受部と、が形成されていることを特徴とする机。
【請求項２】
前記幕板取付枠は、前記天板支持脚の内側面に互いに対向するように取付けられた一対の垂直フレームと、前記天板支持脚間に水平方向に配設されるように前記垂直フレームの下部に装着される水平フレームと、から構成され、
前記垂直フレームの正面側及び背面側の上端部には、前記幕板の上端部に形成される上部連結部と係合する上部連結受部が各々形成され、
前記水平フレームの正面側及び背面側には、前記幕板の下部に形成される下部連結部と係合する下部連結受部が各々形成され、
前記配線受けには、前記幕板の上部連結部と下部連結部との間に形成される取付受部と係合する取付部が形成されていることを特徴とする請求項１に記載の机。
【請求項３】
前記水平フレームは、上端部に開口が設けられていることを特徴とする請求項２に記載の机。
【請求項４】
前記幕板取付枠は、前記天板支持脚の内側面に互いに対向するように取付けられた一対の垂直フレームと、前記天板支持脚間に水平方向に配設されるように前記垂直フレームの上下端部に形成された水平フレーム受部の夫々に装着される上部水平フレーム及び下部水平フレームと、から構成され、
前記上部水平フレームの正面側及び背面側の上端部には、前記幕板の上端部に形成される上部連結部と係合する上部連結受部が各々形成され、
前記下部水平フレームの正面側及び背面側の上端部には、前記幕板の下部に形成される下部連結部と係合する下部連結受部が各々形成され、
前記配線受けには、前記幕板の上部連結部と下部連結部との間に形成される取付受部と係合する取付部が形成され、
前記幕板の一方の面には、前記上部連結部と前記下部連結部と前記取付受部とが当該幕板から突出するように、且つ、互いに平行となるように形成されていることを特徴とする請求項１に記載の机。
【発明の詳細な説明】
【技術分野】
【０００１】
本発明は、オフィス等に設置される事務用机に関するものである。
【背景技術】
【０００２】
従来、パーソナルコンピュータや電気スタンド等の電気機器を机上に載置して使用する場合、床や壁などから導いた電気コードや通信ケーブルなどを容易に配線することができるように、幕板の正面側（使用側）に配線受けとしての樋を設置した机や、幕板の背面側（反使用側）に配線受けとしての配線ボックスを設置した机などが提案されている（例えば、特許文献１、２）。
【特許文献１】特公平７−３６７７４号公報
【特許文献２】特開平８−１５４７４２号公報
【発明の開示】
【発明が解決しようとする課題】
【０００３】
特許文献１の提案は、幕板の正面側に配線受けとしての樋が配設されており、この机を壁や他の机と対面させて配置した際においても、幕板の正面側より配線を行う必要があり、この机と壁或いはこの机と他の机との間隙において配線を行うことができないため、この間隙を有効的に利用することができないといった問題点があった。又、特許文献２の提案は、幕板の背面側に配線受けとしての配線ボックスを設けているため、机を対面配置しない場合において、配線ボックスが露出されてしまうといった問題点があった。
【０００４】
本発明は、このような従来技術の問題点に鑑みてなされたものであり、当該机の配置状況に応じて、幕板の正面側或いは背面側に配線受けを取付けることのできる机を提供することを目的としている。
【課題を解決するための手段】
【０００５】
本発明の机は、天板と、該天板の左右端部下面に垂直に取付けられた天板支持脚と、前記天板の奥部下方において、前記天板支持脚間に配設された幕板取付枠と、該幕板取付枠に正面側或いは背面側の何れの方向からでも着脱自在に取付け可能な幕板と、該幕板に着脱自在に取付け可能な配線受けと、を備え、前記幕板の一方の面に、前記幕板取付枠と係着する連結部と、前記配線受けと係着する取付受部と、が形成されているものである。
【０００６】
又、前記幕板取付枠は、前記天板支持脚の内側面に互いに対向するように取付けられた一対の垂直フレームと、前記天板支持脚間に水平方向に配設されるように前記垂直フレームの下部に装着される水平フレームと、から構成されているものである。そして、この机は、前記垂直フレームの正面側及び背面側の上端部に、前記幕板の上端部に形成される上部連結部と係合する上部連結受部が各々形成され、前記水平フレームの正面側及び背面側に、前記幕板の下部に形成される下部連結部と係合する下部連結受部が各々形成され、前記配線受けに、前記幕板の上部連結部と下部連結部との間に形成される取付受部と係合する取付部が形成されているものである。
【０００７】
更に、前記水平フレームは、上端部に開口が設けられている。
【０００８】
又、前記幕板取付枠は、前記天板支持脚の内側面に互いに対向するように取付けられた一対の垂直フレームと、前記天板支持脚間に水平方向に配設されるように前記垂直フレームの上下端部に形成された水平フレーム受部の夫々に装着される上部水平フレーム及び下部水平フレームと、から構成される場合もある。そしてこの場合、この机は、前記上部水平フレームの正面側及び背面側の上端部に、前記幕板の上端部に形成される上部連結部と係合する上部連結受部が各々形成され、前記下部水平フレームの正面側及び背面側の上端部に、前記幕板の下部に形成される下部連結部と係合する下部連結受部が各々形成され、前記配線受けに、前記幕板の上部連結部と下部連結部との間に形成される取付受部と係合する取付部が形成され、前記幕板の一方の面に、前記上部連結部と前記下部連結部と前記取付受部とが当該幕板から突出するように、且つ、互いに平行となるように形成されているものである。
【発明の効果】
【０００９】
本発明によれば、机に載置される電気機器からの電気コードや通信ケーブル等を配線受けにより容易にコンセントやモジュラージャック等への配線を行うことのできる机であって、当該机の配置状況に応じて、幕板の正面側或いは背面側に配線受けを取付けることのできる机を提供することができる。
これにより、当該机を他の机や壁等に対面配置させた場合は、当該机と他の机や壁等との間隙において、配線受けを配置させて配線を行うことができるため、この間隙を有効的に利用することができる。又、当該机を対面配置せずに使用する場合は、配線受けを幕板の正面側に配置して配線を行うこととすれば、背面側に配線受けが露出することがないため、外観性を向上させることができる。
【００１０】
そして、幕板の一方の面に、上部連結部と下部連結部と取付受部とを形成し、この上部連結部を、幕板取付枠を構成する垂直フレームの上部連結受部に係合させると共に、下部連結部を、幕板取付枠を構成する水平フレームの下部連結受部に係合させることで、幕板を机の正面側或いは背面側の何れの方向からでも容易に取付けて確実に固定することができる。更に、幕板取付枠に対する幕板の係着側の面において、配線受けの取付部を取付受部に係合させることで配線受けを容易に取付けることができる。
【００１１】
又、水平フレームの上端部に開口が設けられているため、この開口に机上の電気機器に接続される盗難防止用ケーブルを取付ることで、電気機器の盗難防止を容易に図ることができる。
【００１２】
そして、幕板取付枠を上部及び下部水平フレームと垂直フレームとから構成し、上部水平フレームの上部連結受部及び下部水平フレームの下部連結受部の夫々に、幕板の上部連結部及び下部連結部を係合させることでも、幕板を机の正面側或いは背面側の何れの方向からでも容易に取付け、更に、幕板取付枠に対する幕板の係着側の面に配線受けを容易に取付けることができる。
【発明を実施するための最良の形態】
【００１３】
本発明を実施するための最良の形態の机1は、事務用の平机、片袖机、又は、両袖机であって、天板10と、該天板10の左右端部下面に各々垂直に取付けられた天板支持脚11と、天板10の奥部下方において、天板支持脚11間に配設された幕板取付枠8と、該幕板取付枠8に正面側或いは背面側の何れの方向からでも着脱自在に取付可能な幕板2と、該幕板2に着脱自在に取付け可能な配線受け6と、を備えているものである。
【００１４】
又、この幕板取付枠8は、天板10の奥部下方における天板支持脚11の内側面に互いに対向するように且つ垂直に固着された一対の垂直フレーム3と、天板支持脚11間に水平方向に配設されるように垂直フレーム3の下部に固着される水平フレーム7と、から構成されるものである。
【００１５】
そして、この机1は、垂直フレーム3の正面側及び背面側の上端部に、幕板2の上端部に形成される上部連結部24と係合する正面側上部連結受部83及び背面側上部連結受部84が各々形成され、水平フレーム7の正面側及び背面側の下部に、幕板2の下部に形成される下部連結部27と係合する正面側下部連結受部70及び背面側下部連結受部71が各々形成され、配線受け6に、幕板2の上部連結部24と下部連結部27との間に形成される取付受部20と係合する取付部60が形成されているものである。
【００１６】
そして、この机1は、幕板2の一方の面に、幕板取付枠8と係着する上部連結部24及び下部連結部27と、配線受け6と係着する取付受部20と、が当該幕板2から突出するように形成されているものである。
【００１７】
又、この机1は、二つの取付受部20が、上下方向に所定の距離だけ離隔するように、且つ、幕板2の幅と略同一の長さとなるように形成されているものである。そして、配線受け6は、二つの取付受部20の夫々に二つずつ取付けることができるように、幕板2の幅の半分以下の長さとなるように形成されている。
【００１８】
尚、この配線受け6は、取付受部20の夫々に二つずつ取付けられる場合のみでなく、夫々に一つずつ、或いは、三つ以上取付けられる場合もあり、取付受部20も、幕板2に一つ、或いは、三つ以上配設されることもある。
【００１９】
更に、この水平フレーム7には、上端部である上面板73の中央に矩形状の開口75が二つ並設されており、机上に載置された電気機器に接続される盗難防止用ケーブル79の先端部を取付けることができるようになっている。
【実施例】
【００２０】
以下、本発明の実施例を図に基づいて詳説する。尚、本発明において、机を使用する側即ち椅子を配置する側を「正面」、反使用側を「背面」として、「手前」、「奥」、「左」、「右」は使用者側から見たときの方向に従うこととする。
本発明の一つの実施例に係る机1は、図１及び図２に示すように、天板10と、該天板10の左右端部下面に各々垂直に取付けられた天板支持脚11と、天板10の奥部下方において、天板支持脚11間に配設された幕板取付枠8と、該幕板取付枠8に正面側或いは背面側の何れの方向からでも着脱自在に取付け可能な幕板2と、該幕板2に着脱自在に取付け可能な配線受け6と、を備えるものである。
【００２１】
又、この机1は、幕板2の一方の面に、幕板取付枠8と係着する連結部と、配線受け6と係着する取付受部と、が形成されており、机1の配置状況に応じて、図１に示すように幕板2を背面側から取付けることで配線受け6を正面側から取付けることができ、図２に示すように幕板2を正面側から取付けることで配線受け6を背面側に取付けることができるものである。
【００２２】
そして、この机1は、天板10が該天板10の左右端部下面に垂設される天板支持脚11によって支持され、この天板10の奥部中央に、配線受け6へ電気コード等を導くための矩形状の導入開口12が形成されているものである。
【００２３】
又、この天板支持脚11は、机1の上面を形成する天板10を支持するものであって、図示するように、この机1には、薄肉鋼板等によって中空状に形成された側面視コ字状に形成されてなる天板支持脚11が天板10の左端部下方に配設され、薄肉鋼板等からなり手前側に摺動させることのできる矩形箱状の引出しを三個上下方向に並設されてなるキャビネットとしての天板支持脚11が天板10の右端部下方に配設されている。
【００２４】
尚、この机1は、図示するように、一方の天板支持脚11を側面視コ字状に形成し、他方をキャビネットとして形成した「片袖机」とする場合に限定されるものでなく、左右共にキャビネットを配設した「両袖机」や、左右共に側面視コ字状の天板支持脚11を配設した「平机」としてもよく、更に、天板支持脚11としては様々な形状を採用することができるものである。
【００２５】
そして、この天板支持脚11の下面には滑り止めが装着されており、この滑り止めが床面に接地している。本実施例においては、左側の天板支持脚11の底面の使用端部及び反使用端部、並びに、右側の天板支持脚11であるキャビネットの底面の四隅に円柱形状の滑り止めが装着され、計六箇所の滑り止めで確実に机1を床面に固定しているものである。
【００２６】
又、この机1は、左右の天板支持脚11間における天板10の下方に、手前側に摺動させることのできる箱状の引出しが一個取付けられて、天板支持脚11間のスペースを有効的に利用しているものである。
【００２７】
そして、幕板取付枠8は、図３に示すように、天板10の奥部下方における天板支持脚11の内側壁面に互いに対向するように且つ垂直に固着された一対の垂直フレーム3と、天板支持脚11間に水平方向に配設されるように垂直フレーム3の下部に固着される水平フレーム7と、から構成されるものである。
【００２８】
この垂直フレーム3は、図４に示すように、細長方形状の側面板80と、この側面板80の両側稜線部から垂直に立ち上がった正面板81及び背面板82と、を備えているものである。そして、この垂直フレーム3は、下部が側面板80、正面板81及び背面板82によって断面コ字状の水平フレーム受部35として形成され、この水平フレーム受部35の凹部に水平フレーム7の端部を嵌入し、固着することで水平フレーム7を確実に固定するものである。
【００２９】
又、この垂直フレーム3の上部には、正面板81と、この正面板81の上方部分における端部より背面側に垂直に立ち上がる平板と、該平板の端部より側面板80側に垂直に立ち上がる平板と、からなる正面側受部85が形成されている。同様に、この垂直フレーム3の上部には、背面板82の上方部分における端部より延在する板材を正面側に直角に折り曲げ、その折り曲げられた板材を更に側面板80側に直角に折り曲げることにより背面側受部86が形成されている。更に、この垂直フレーム3は、正面側受部85の上端面が、背面側受部86の上端面に対して下方に位置するように形成されている。
【００３０】
又、この正面側受部85及び背面側受部86の上端部は、後述する幕板2の上端部に形成される上部連結部24と係合することにより幕板2を支持する正面側上部連結受部83及び背面側上部連結受部84として各々形成されているものである。
【００３１】
そして、水平フレーム7は、一対の垂直フレーム3によって支持されるものであって、正面側及び背面側の下部に、後述する幕板2の下部に形成される下部連結部27と係合する正面側下部連結受部70及び背面側下部連結受部71が各々形成されているものである。
【００３２】
具体的には、この水平フレーム7は、矩形平板である正面板72と、該正面板72の上下端稜線部から背面側に垂直に立ち上がった上面板73及び下面板74と、を備え、この下面板74の端部より延在する板材が上方に直角に折り曲げられ、その折り曲げられた板材の端部が更に正面板72側に直角に折り曲げられることで当該水平フレーム7の下部に断面Ｌ字状の背面側下部連結受部71が形成され、正面板72の左右両端近傍下部に開口である正面側下部連結受部70が形成されているものである。
【００３３】
又、この水平フレーム7は、背面側下部連結受部71と対向するように、上面板73の背面側端部より延在する板材が、下方に直角に屈曲され更に正面板72側へ屈曲されることで強度の向上が図られている。
【００３４】
そして、この正面側下部連結受部70は、上部を幅広、下部を幅狭とする開口であって、上部開口と下部開口との間に開口幅が上部から下部に向かって次第に狭くなるように傾斜部が設けられているものである。
【００３５】
更に、この水平フレーム7には、上端部である上面板73の中央に矩形状の開口75が二つ並設されており、図５に示すように、天板10に載置された電気機器等に接続される盗難防止用ケーブル79を天板10の導入開口12から導入し、盗難防止用ケーブル79の先端部を開口75に取付けることにより、容易に盗難防止を図ることができるようになっている。尚、この開口75には、盗難防止用ケーブル79のみならず、電気コード等を挿通させることとしてもよい。
【００３６】
又、この開口75は、矩形状に形成される場合に限定されるものではなく、様々な形状に形成することができる。更に、開口75の数も二つに限らずに、一つ或いは三つ以上設けることとしてもよい。
【００３７】
そして、幕板2の上端部には、図３及び図６に示すように、薄肉鋼板からなる矩形平板の上端部が一方に直角に折り曲げられ、折り曲げられた板材の先端部が更に下方に直角に折り曲げられることにより、断面Ｌ字状の上部連結部24が形成されている。これにより、この幕板2の上端部に形成される上部連結部24の左右端部を、前述した幕板取付枠8を構成する垂直フレーム3の正面側及び背面側の上端に各々形成される正面側及び背面側上部連結受部83,84に嵌着させることができる。
【００３８】
又、この幕板2には、上部連結部24の形成される側における面の下端部近傍左右に下部連結部27が配設されている。この下部連結部27は、前述の幕板取付枠8の正面側下部連結受部70の位置に対応して配設されるものであり、当該下部連結部27の端部より垂直に立ち上がるＬ字状の取付板29を左右下端に夫々配置して固着することで、容易に位置決めをして固定することができるようになっている。
【００３９】
そして、幕板2より突出するように配設される下部連結部27は、下縁に係合部となる第一水平部27a及び第二水平部27bを段違いに備えているものである。具体的には、この下部連結部27は、下縁において、取付板29側から水平に第一水平部27aを有し、そして、垂直部を介して第一水平部27aより所定の距離だけ下側に第一水平部27aと平行な第二水平部27bを有し、第二水平部27bの先端より下方に更に垂直部を有して構成されているものである。
【００４０】
このように、幕板2の下部に階段状の下部連結部27を形成することで、前述した幕板取付枠8を構成する水平フレーム7の正面側及び背面側の下部に各々形成される正面側及び背面側下部連結受部70,71に当該下部連結部27を掛着させることができる。したがって、幕板取付枠8の正面側或いは背面側上部連結受部83,84に幕板2の上部連結部24を嵌着させると共に、幕板取付枠8の正面側或いは背面側下部連結受部70,71に下部連結部27を掛着させることで、幕板2を幕板取付枠8に確実且つ容易に取付けることが可能となる。
【００４１】
そして、この幕板2の上部連結部24の下方には、矩形状平板の上下端部から一方へ突出するように且つ幕板2の幅方向に対して僅かに短い長さとなるように形成された取付受部20を備えた取付部材22が固着されている。この取付部材22は、薄肉鋼板からなる矩形平板の上端部及び下端部が、夫々同一方向に直角に折り曲げられ、その折り曲げられた板材が上方に直角に折り曲げられ、更に中央部分の平板側に直角に折り曲げられることにより、上端部及び下端部に断面略Ｊ字状の取付受部20が形成されているものである。
【００４２】
そして、この取付部材22は、二つの取付受部20が幕板2の上部連結部24と下部連結部27との間に位置するように、且つ、上部連結部24に対して取付受部20が平行となるように固着されているものである。
【００４３】
又、この幕板2は、該幕板2の中央上端部近傍に矩形状の開口が形成され、該開口に凹部を有する把手部28が取付られて、把手部28の凹部に指を掛けることにより幕板2を容易に把持して机1に取付ることができるようになっている。尚、この把手部28は幕板2を貫通する開口とし、或いは、更にこの開口を覆うように上端を軸支した蓋板を配設することで開閉自在として、電気コード等或いは盗難防止用ケーブル79をこの開口に挿通して配線受け6或いは開口75へ導くこととしてもよい。
【００４４】
そして、この幕板2は、上部連結部24と同様に、下端部を屈曲させたり、左右端部を屈曲させたりすることで、把持する際に鋭部が直接手に触れることを防止すると共に強度の向上が図られているものである。
【００４５】
又、図３及び図７に示すように、樹脂材や薄肉鋼板等からなる配線受け6は、底板61と該底板61端部より垂直に立ち上がる側板によって左右両端が開放された断面略コ字状に形成された配線受部を有し、該配線受部の上方に前述の幕板2の取付受部20の略Ｊ字断面形状に対応した取付部60が形成されているものである。具体的には、この配線受け6の下部である配線受部は、底板61に載置される電気コード、通信ケーブル、テーブルタップのコンセントやモジュラーボックス等が正面側及び背面側に脱落することのないように、底板61の両側稜線部から底板61に対して垂直に側板が立ち上がっており、上方から電気コード等を載せて左右方向にコードを通すことができるように左右面及び上面の開放された略箱状に形成されているものである。
【００４６】
又、この配線受け6の上部は、配線受部の一方の側板が内方に直角に屈曲され、次にこの屈曲された板材が上方に直角に屈曲され、更にその板材が外方に向かうように直角に折り曲げられている。そして、この配線受け6には、その上端部の板材の先端近傍下面から垂下する板である掛止部64が設けられており、その先端は更に外方へ突出するように直角に屈曲されている。
【００４７】
このように、配線受け6の一方の側板より一度内方に屈曲させた板材を上方に屈曲させ、更に外方へ屈曲させて、その先端部近傍に掛止部64を設けることにより、当該板材により囲まれる立方状の嵌合空間62を有する取付部60が形成されることとなる。そして、この嵌合空間62の形成された取付部60を幕板2の断面略Ｊ字状の取付受部20に嵌着させることで、配線受け6を幕板2によって着脱自在に且つ確実に支持することができる。
【００４８】
又、この配線受け6は、幕板2の幅の半分以下の長さとなるように形成されており、配線受け6を取付部材22の上下端部に形成される取付受部20の夫々に二つずつ取付けることができるものである。尚、この配線受け6は、図示するように幕板2の取付受部20の夫々に二つずつ取付けることができるように形成される場合に限定されるものではなく、取付受部20の夫々に一つずつ、或いは、三つ以上取付け可能に形成される場合もある。更に、取付受部20についても、幕板2に一つのみ、或いは、三つ以上配設されることもある。
【００４９】
以下、幕板2と幕板取付枠8との係合状態及び配線受け6と幕板2との係合状態の詳細を、幕板2及び配線受け6の取付け手順と合わせ、図８及び図９を参照して説明する。幕板2を机1の背面側から取付ける場合、先ず、図８（ａ）に示すように、幕板2の把手部28を把持して、机1の背面側（反使用側）から上部連結部24の左右端部を、幕板取付枠8を構成する垂直フレーム3の背面側上部連結受部84の上端面と天板10の下面との間隙へ挿入すると共に、下部連結部27を、幕板取付枠8を構成する水平フレーム7の背面側下部連結受部71の上方に配置する。
【００５０】
次に、幕板2を下方へ降ろすことにより、図８（ｂ）に示すように、上部連結部24の凹部が背面側上部連結受部84に嵌着され、下部連結部27の第二水平部27bが背面側下部連結受部71によって支持されると共に第二水平部27bから下方に延設される垂直部が背面側下部連結受部71の先端部に掛止されることにより当該下部連結部27が背面側下部連結受部71に掛着し、これにより幕板2が幕板取付枠8に連結される。
【００５１】
そして、配線受け6の取付部60に形成される凹部としての嵌合空間62が、幕板2に形成される凸部である取付受部20に嵌合されるように、当該配線受け6の底板61から垂直に立ち上がる取付部60側の側板外面を幕板2に密着させた状態で下方へ降ろすことで、配線受け6の取付部60を幕板の取付受部20に嵌着させて、幕板2に配線受け6を取付けることができる。
【００５２】
このように、取付部60を取付受部20に嵌着させれば、配線受け6の底板61に電気コード等が載置されて底板61が撓んだとしても、取付部60側の側板外面が幕板2と係合しているため、配線受け6が電気コード等を載置した際にも揺れ動いて脱落することなく確実に保持される。又、掛止部64が取付受部20の上部先端に掛止しているため、より確実に配線受け6が幕板2に固定される。
【００５３】
そして、幕板2及び配線受け6を取付ける手順と逆の手順を踏めば、容易に幕板2及び配線受け6を机1から取り外すことができる。
【００５４】
又、幕板2を机1の正面側から取付ける場合、先ず、図９（ａ）に示すように、幕板2の把手部28を把持して、机1の正面側（使用側）から上部連結部24の左右端部を、幕板取付枠8を構成する垂直フレーム3の正面側上部連結受部83の上端面と天板10の下面との間隙から挿入すると共に、下部連結部27を、幕板取付枠8を構成する水平フレーム7の正面側下部連結受部70の上部である幅広開口から挿入する。
【００５５】
ここで、正面側上部連結受部83の上端面は、背面側上部連結受部84の上端面に対して下方に位置しているため、天板10の下面と正面側上部連結受部83上端面との間には十分な間隙が形成され、天板10の下方正面側に引出しが配設されている場合であっても、机1の正面側から容易に幕板2を幕板取付枠8に取付けることができる。
【００５６】
次に、幕板2を下方へ降ろすことにより、図９（ｂ）に示すように、上部連結部24の凹部が正面側上部連結受部83に嵌着され、下部連結部27の第一水平部27aが正面側下部連結受部70の傾斜部により幅狭開口へと容易に導かれて降下し、この第一水平部27aが正面側下部連結受部70の下端により支持されると共に第一水平部27aから第二水平部27bへ延設される垂直部が正面側下部連結受部70の下方の板材に掛止されることにより当該下部連結部27が正面側下部連結受部70に掛着し、これにより幕板2が幕板取付枠8に連結される。
【００５７】
そして、配線受け6を幕板2に取付ける手順は、前述と同様であり、又、幕板2及び配線受け6を取付ける手順と逆の手順を踏めば、容易に幕板2及び配線受け6を机1から取り外すことができる。
【００５８】
尚、配線受け6は、幕板2を幕板取付枠8に取付けた後に装着せずに、幕板2に配線受け6を装着した後に幕板2を幕板取付枠8に取付けることとしてもよい。又、この机1は、このように幕板2の幅に対して長手方向を短く形成した配線受け6を複数個備え、幕板2の幅と略同じ長さに形成した取付受部20が幕板2に複数段設けられているため、配線受け6の配置の自由度が増し、電気コード等の配線をより容易に行うことができる。
【００５９】
このように、幕板2の一方の面に、上部及び下部連結部24,27と、取付受部20と、を設けると共に、幕板取付枠8の正面側及び背面側に上部及び下部連結受部83,84,70,71を設けることで、幕板2を設置した際に上部及び下部連結部24,27等が正面側となるように、幕板2を机1の背面側から取付ければ、幕板取付枠8に対する幕板2の係着側の面（正面側の面）に配線受け6を容易に取付けることができる。
【００６０】
又、幕板2を設置した際に、上部及び下部連結部24,27等が背面側となるように、幕板2を机1の正面側から取付ければ、幕板取付枠8に対する幕板2の係着側の面（背面側の面）に配線受け6を容易に取付けることができる。したがって、当該机1の配置状況に応じて、幕板2を幕板取付枠8に背面側或いは正面側から取付けることで、配線受け6を正面側或いは背面側に取付けることができる。
【００６１】
即ち、当該机1を他の机や壁などに対面配置させないで使用する場合、幕板2を反使用側である背面側から取付けることとすれば、図１及び図１０（ａ）に示すように、配線受け6を使用側である正面側から取付けることができ、背面側に配線受け6が露出することがないため、外観性を向上させることができる。
又、当該机1を他の机や壁などに対面配置させて使用する場合には、使用側から幕板2を装着し、反使用側である背面側から配線受け6を装着すれば、図２及び図１０（ｂ）に示すように、この机1と他の机や壁等との間隙において配線をすることができるため、この間隙を有効的に利用することができる。
【００６２】
又、本発明は、以上の実施例に限定されるものでなく、発明の要旨を逸脱しない範囲で自由に変更、改良が可能である。例えば、幕板2と幕板取付枠8との係合部の構造は、着脱自在に机1の正面側及び背面側の何れの方向からでも着脱自在に接続できればよいため、様々な形態を採用することができる。
【００６３】
図１１に示す机1は、幕板取付枠8を、天板支持脚11の内側面に互いに対向するように取付けられた一対の垂直フレーム3と、天板支持脚11間に水平方向に配設されるように垂直フレーム3の上下端部に形成された水平フレーム受部の夫々に装着される上部水平フレーム4及び下部水平フレーム5と、から構成した場合の実施例である。
【００６４】
この幕板取付枠8を構成する一対の垂直フレーム3は、天板10の奥部下方における天板支持脚11の内側壁面に互いに対向するように、且つ、垂直に固着されているものであって、図１２に示すように、上部水平フレーム4の左右端部と当該垂直フレーム3の上端部に形成される上部水平フレーム受部30とを嵌着させることにより上部水平フレーム4を支持し、下部水平フレーム5の左右端部と当該垂直フレーム3の下端部に形成される下部水平フレーム受部31とを嵌着させることにより下部水平フレーム5を支持するものである。
【００６５】
この上部及び下部水平フレーム受部30,31は、垂直フレーム3の側板32と該側板32の両側稜線部から垂直に立ち上がった正面板及び背面板によって断面コ字状に形成されているものであり、この正面板及び背面板を上部及び下部水平フレーム4,5の左右端部に形成される開口に挿着することで、上部及び下部水平フレーム4,5を確実に固定することができる。
【００６６】
又、上部水平フレーム4及び下部水平フレーム5は、細長方形状の底板42,52と、この底板42,52の両側稜線部から垂直に立ち上がった正面板及び背面板とを有し、この正面板及び背面板の先端部分が内方に直角に折り曲げられ、その折り曲げられた板材である上面板の先端部分が更に底板42,52側に直角に折り曲げられているものである。
【００６７】
そして、上部水平フレーム4の左右両端部の底板42が、垂直フレーム3の上部水平フレーム受部30下方の正面板及び背面板に形成される線条の切欠き36に挿入されると共に、上部水平フレーム受部30の正面板及び背面板が上部水平フレーム4の正面板と背面板との間に挿入されることにより、上部水平フレーム4の左右両端部と、左右一対の垂直フレーム3の上部水平フレーム受部30とが嵌着される。
【００６８】
これにより、垂直フレーム3の上部水平フレーム受部30における線条の切欠き36の下側の垂直フレーム3の板材（即ち、垂直フレーム3の中央部分の上面）によって上部水平フレーム4が支持されることとなる。尚、垂直フレーム3の中央部分の上面によって上部水平フレーム4を支持する場合に限らず、上部水平フレーム受部30の正面板及び背面板によって上部水平フレーム4の上面板を支持することとしてもよい。
【００６９】
同様に、垂直フレーム3の下部水平フレーム受部31上方の正面板及び背面板に形成される矩形状の切欠き37に下部水平フレーム5の左右両端部の上面板が挿入されると共に、下部水平フレーム受部31の正面板及び背面板が下部水平フレーム5の正面板と背面板との間に挿入されることにより、下部水平フレーム5の左右両端部と、左右一対の垂直フレーム3の下部水平フレーム受部31とが嵌着されて、下部水平フレーム受部31における矩形状の切欠き37の下側の垂直フレーム3の板材である下部水平フレーム受部31の正面板及び背面板の上面によって下部水平フレーム5が支持されることとなる。
【００７０】
尚、垂直フレーム3の中央部分は、長手方向に開口が形成されるように、断面コ字状の側板を内方に折り曲げ、更に側板32側に向かって折り曲げることによって、フレームの強度を向上させると共にフレームを固定する際やフレームを把持するときなどに先端の鋭部が直接手に触れることを防止している。
【００７１】
又、垂直フレーム3の中央部分は断面略コ字状やロ字状に形成するなど、様々な形状に形成することができる。更に、垂直フレーム3と上部及び下部水平フレーム4,5との係着部についても、種々の態様を採用することができ、又、垂直フレーム3を用いずに直接的に水平フレームを天板支持脚11に装着することで幕板取付枠8を構成する場合もある。
【００７２】
そして、この上部水平フレーム4及び下部水平フレーム5は、正面板及び背面板の上端部が内方に直角に折り曲げられて底板42,52に平行となる上面板が形成され、上面板が更に底板42,52側へ折り曲げられることにより、上面長手方向に所定幅の開口が形成されると共に正面側及び背面側の上端部に凸状の上部連結受部40及び下部連結受部50が各々形成されている。
【００７３】
この上部水平フレーム4の上部連結受部40及び下部水平フレーム5の下部連結受部50は、後述の幕板2に形成される上部連結部24及び下部連結部25と嵌合させることにより、幕板2を着脱自在に支持するものである。尚、上部及び下部連結受部40,50の内側先端部は下方に折り曲げなくても、幕板2を支持することができるが、下方に更に折り曲げることで、把持する際に鋭部が直接手に触れることを防止すると共に強度の向上が図られているものである。
【００７４】
そして、この幕板2は、図１１及び図１３に示すように、前述と略同様の形状に形成され、上部連結部24及び取付受部20を備えているものであるが、下部において、前述の階段状の下部連結部27（図６）に代えて、平板から一方へ突出するように且つ幕板2の幅方向と略同一の長さとなるように形成されてなるＪ字状部材26が固着されているものである。
【００７５】
このＪ字状部材26は、矩形平板を上端部において一方に直角に折り曲げ、その折り曲げられた板材を更に下方に直角に折り曲げることによって断面略Ｊ字状に形成されているものである。そして、このＪ字状部材26は、上部連結部24と同様に断面Ｌ字状部分を下部連結部25として、該下部連結部25が幕板2から突出するように、且つ、上部連結部24及び取付受部20と平行となるように幕板2に配設されている。
【００７６】
このように、幕板2と幕板取付枠8との係合部を形成することで、図１４に示すように、前述と同様、幕板2の上部連結部24を幕板取付枠8の上部水平フレーム4の上部連結受部40に嵌着させ、幕板2の下部連結部25を幕板取付枠8の下部水平フレーム5の下部連結受部50に嵌着させることで、幕板取付枠8に幕板2を机1の正面側或いは背面側の何れの方向からでも容易に着脱することができ、又、取付受部20に配線受け6を容易に着脱することができる。
【００７７】
そして、前述した天板10の導入開口12より電器コード等を導き入れて、更に上部水平フレームの底板42に設けられた矩形状の開口である切欠き孔41に挿通させることで、当該電器コード等を容易に配線受け6へ導くことができる。
【００７８】
したがって、この机1は、図１５に示すように、机1の配置状況に応じて、幕板2を幕板取付枠8に背面側或いは正面側から取付けることで、配線受け6を正面側或いは背面側に取付けることができ、これにより、外観性の向上と、机1と他の机等との間隙の有効的利用を図ることができる。
【００７９】
又、机1の天板支持脚11に開口を設ける場合もある。これにより、左右方向に電器コード等を挿通することが可能となり、机1を左右方向に並置した際により容易に配線を行うことができる。
【図面の簡単な説明】
【００８０】
【図１】本発明の実施例に係る机の外観を示す斜視図。
【図２】本発明の実施例に係る机の外観を示す斜視図。
【図３】本発明の実施例に係る机の幕板取付枠、幕板、配線受けを示す分解斜視図。
【図４】本発明の実施例に係る机の幕板取付枠の分解斜視図。
【図５】本発明の実施例に係る机の開口に盗難防止用ケーブルを取付けた状態を示す斜視図。
【図６】本発明の実施例に係る机の幕板の分解斜視図。
【図７】本発明の実施例に係る机の配線受けの外観斜視図。
【図８】本発明の実施例に係る机の幕板取付枠に幕板を取付ける手順を説明する側面断面図。
【図９】本発明の実施例に係る机の幕板取付枠に幕板を取付ける手順を説明する側面断面図。
【図１０】本発明の実施例に係る机の配置状況に応じた幕板及び配線受けの取付状態を示す側面断面図。
【図１１】本発明の実施例に係る机の幕板取付枠、幕板、配線受けを示す分解斜視図。
【図１２】本発明の実施例に係る机の幕板取付枠の分解斜視図。
【図１３】本発明の実施例に係る机の幕板の分解斜視図。
【図１４】本発明の実施例に係る机の幕板取付枠に幕板を取付ける手順を説明する側面断面図。
【図１５】本発明の実施例に係る机の配置状況に応じた幕板及び配線受けの取付状態を示す側面断面図。
【符号の説明】
【００８１】
1  机                                 2  幕板
3  垂直フレーム                       4  上部水平フレーム
5  下部水平フレーム                   6  配線受け
7  水平フレーム                       8  幕板取付枠
10  天板                              11  天板支持脚
12  導入開口                          20  取付受部
22  取付部材                          24  上部連結部
25  下部連結部                        26  Ｊ字状部材
27  下部連結部                        27a 第一水平部
27b 第二水平部                        28  把手部
29  取付板                            30  上部水平フレーム受部
31  下部水平フレーム受部              32  側板
35  水平フレーム受部                  36  切欠き
37  切欠き                            40  上部連結受部
41  切欠き孔                          42  底板
50  下部連結受部                      52  底板
60  取付部                            61  底板
62  嵌合空間                          64  掛止部
70  正面側下部連結受部                71  背面側下部連結受部
72  正面板                            73  上面板
74  下面板                            75  開口
79  盗難防止用ケーブル                80  側面板
81  正面板                            82  背面板
83  正面側上部連結受部                84  背面側上部連結受部
85  正面側受部                        86  背面側受部
【図１】
2010094204.tif 000003
【図２】
2010094204.tif 000004
【図３】
2010094204.tif 000005
【図４】
2010094204.tif 000006
【図５】
2010094204.tif 000007
【図６】
2010094204.tif 000008
【図７】
2010094204.tif 000009
【図８】
2010094204.tif 000010
【図９】
2010094204.tif 000011
【図１０】
2010094204.tif 000012
【図１１】
2010094204.tif 000013
【図１２】
2010094204.tif 000014
【図１３】
2010094204.tif 000015
【図１４】
2010094204.tif 000016
【図１５】
2010094204.tif 000017